(57)【要約】【課題】高圧引下線（上部）縁線を間接活線工法により切断・接続する作業に用いるための高圧引下線縁線支持具を提供する。【解決手段】高圧配電線（１）から電柱（２）上の機器に引き下げた高圧引下線縁線（３ａ）を間接活線工法により切断・接続する作業に用いるための高圧引下線縁線支持具（１０）であって、電柱を把持して固定される基部（１２）と、該基部から伸長する主軸部（１４）と、該主軸部の先端側から伸びる第一アーム部（１６）と、該第一アーム部の先端に屈曲自在に連結された第二アーム部（１８）と、高圧引下線縁線を把持するために前記第一アーム部の先端に設けられた第一把持部（２２）および第二アーム部に設けられた第二把持部（２４）と、を有し、前記第二把持部には前記第一把持部との相対距離を変更可能とするスライド機構が設けられている。【選択図】図５
2014007902.tif 000002
【特許請求の範囲】
【請求項１】
高圧配電線（１）から電柱（２）上の機器に引き下げた高圧引下線縁線（３ａ）を間接活線工法により切断・接続する作業に用いるための高圧引下線縁線支持具（１０）であって、
電柱を把持して固定される基部（１２）と、
該基部から伸長する主軸部（１４）と、
該主軸部の先端側から伸びる第一アーム部（１６）と、
該第一アーム部の先端に屈曲自在に連結された第二アーム部（１８）と、
高圧引下線縁線を把持するために前記第一アーム部の先端側に設けられた第一把持部（２２）および第二アーム部に設けられた第二把持部（２４）と、を有し、
前記第二把持部には前記第一把持部との相対距離を変更可能とするスライド機構が設けられている、ことを特徴とする高圧引下線縁線支持具。
【請求項２】
前記第二把持部（２４）は前記第二アーム部（１８）に着脱自在に取り付けられている、ことを特徴とする請求項１に記載の高圧引下線縁線支持具。
【請求項３】
前記主軸部（１４）先端側には複数本の前記第一アーム部（１６）が横方向に並んで設けられており、前記主軸部および前記各第一アーム部には屈折するための関節部（２６）が備えられている、ことを特徴とする請求項１又は２に記載の高圧引下線縁線支持具。
【請求項４】
前記各第一アーム部（１６）には一の第一アーム部の横方向の動きに他の第一アーム部を追従させるリンク機構が備えられている、ことを特徴とする請求項３に記載の高圧引下線縁線支持具。
【発明の詳細な説明】
【技術分野】
【０００１】
本発明は、高圧引下線縁線支持具に関し、特に、高圧配電線から変圧器に至る高圧引下線（ＰＤ線）の上部支持碍子までの高圧引下線（上部）縁線を間接活線工法により切断・接続する作業に用いることで作業効率の向上、作業員の負担軽減を図るための高圧引下線縁線支持具に関する。
【背景技術】
【０００２】
近年、図６に示すような電柱上に取り付けられた変圧器（６）や高圧カットアウト・ＣＦなどの取り替え作業においては、高圧引下線（上部）縁線（３ａ）の切断・接続作業は絶縁性の間接活線工具（ホットスティック）を用いた間接活線工法により以下の（１）〜（４）の手順で行なわれている。
【０００３】
［高圧引下線縁線の切断・接続作業手順］
（１）作業員が高所作業車のバケットに乗り、間接活線工具を用いて上部支持碍子（４ａ）から下部支持碍子（４ｂ）までの高圧引下線中線（３ｂ）に短絡防止用防護具を取り付ける。
（２）続いて、高圧配電線（１）から上部支持碍子（４ａ）までの高圧引下線上部縁線（３ａ）の切断箇所まで高所作業車のバケットを移動させたのち、作業員が間接活線工具を用いて高圧引下線上部縁線（３ａ）を切断し、切断した高圧引下線上部縁線（３ａ）を短絡防止用防護具が取り付けられた高圧引下線中線（３ｂ）まで移動する。このとき、作業員は、３本の高圧引下線上部縁線（３ａ）を１本ずつ切断しては高圧引下線中線（３ｂ）まで移動する。
（３）その後、既設の変圧器（６）等を新しい機器に取り替え、高圧引下線上部縁線（３ａ）の接続準備箇所から接続箇所まで高所作業車のバケットを移動させたのち、作業員が切断した高圧引下線上部縁線（３ａ）を間接活線工具を用いて接続する。作業員は１本づつこの作業を繰り返すことで３本の高圧引下線上部縁線（３ａ）を接続する。
（４）３本の高圧引下線上部縁線（３ａ）の接続作業がすべて終わると、高圧引下線中線（３ｂ）の短絡防止用防護具の取外箇所まで高所作業車のバケットを移動させたのち、間接活線工具を用いて短絡防止用防護具を取り外す。
【０００４】
ところで本出願人は、下記の特許文献１において、合わせ面となる体部にボルト貫通孔を有して概略Ｖ型に対形成された可動コネクタ部材と固定コネクタ部材がそれぞれ先端方向に対向形成した半円弧状の高圧線把持部を備え、可動コネクタ部材がナット側端面をザグリ形成した弾性体圧入室を有し、固定コネクタ部材がボルト戴頭側端面に条溝を刻設した引下線挾持部と体部端面から突設した被操作把手を有し、両コネクタ部材間にボルトを貫通すとともにボルト脚杆に弾性体を介装して弾性体圧入室に収容しナット固定して、活線棒により被操作把手を掴持し、高圧線に対して可動コネクタ部材を弾性的に銜口操作または蝶番操作して離接又は脱着することにより、活線棒による簡単操作で高圧線を仮把持するとともにその状態のまま引下線芯線と高圧線とを本締め可能とした間接活線作業用引下線コネクタを提案している。
【先行技術文献】
【特許文献】
【０００５】
【特許文献１】特開２００２−５６９４２号公報
【発明の概要】
【発明が解決しようとする課題】
【０００６】
しかしながら、上述した従来の高圧引下線上部縁線（３ａ）の切断・接続作業には、以下に示すような問題があった。
（１）高圧引下線上部縁線（３ａ）を切断する前に短絡防止用防護具を高圧引下線中線（３ｂ）に取り付ける必要がある。
（２）高圧引下線中線（３ｂ）に短絡防止用防護具を取り付けたのちに高所作業車のバケットを高圧引下線上部縁線（３ａ）の切断箇所まで移動させる必要がある。
（３）切断した高圧引下線上部縁線（３ａ）を短絡防止用防護具が取り付けられた高圧引下線中線（３ｂ）まで移動する必要がある。
（４）複数本（主に２本または３本）の高圧引下線上部縁線（３ａ）の切断・接続を行う際には、その都度バケットの移動が必要がある。
（５）高圧引下線上部縁線（３ａ）の切断・接続を行うためには、縁線の支持を行う者と切断・接続を行う者の最低２人の作業員が必要となる。
（６）高圧引下線上部縁線（３ａ）の切断・接続を行うためには、縁線を引っ張りながら支持しなければならず、作業性が悪いばかりでなく作業員の肉体的な負担も大きい。
【０００７】
そのため本発明は、高圧引下線中線の短絡防止用防護具を不要にできるとともに、高所作業車のバケットの移動回数を少なくし、また１人の作業員による高圧引下線上部縁線の切断・接続作業を可能とし、作業性の向上、作業員の肉体的負担の軽減を図ることを目的とする。
【課題を解決するための手段】
【０００８】
本発明の高圧引下線縁線支持具は、高圧配電線（１）から電柱（２）上の機器に引き下げた高圧引下線縁線（３ａ）を間接活線工法により切断・接続する作業に用いるための高圧引下線縁線支持具（１０）であって、電柱を把持して固定される基部（１２）と、該基部から伸長する主軸部（１４）と、該主軸部の先端側から伸びる第一アーム部（１６）と、該第一アーム部の先端に屈曲自在に連結された第二アーム部（１８）と、高圧引下線縁線を把持するために前記第一アーム部の先端側に設けられた第一把持部（２２）および第二アーム部に設けられた第二把持部（２４）と、を有し、前記第二把持部には前記第一把持部との相対距離を変更可能とするスライド機構が設けられている、ことを特徴とする。
【０００９】
ここで、前記第二把持部（２４）は前記第二アーム部（１８）に着脱自在に取り付けられている、ことが好ましい。
【００１０】
また、前記主軸部（１４）先端側には複数本の前記第一アーム部（１６）が横方向に並んで設けられており、前記主軸部および前記各第一アーム部には屈折するための関節部（２６）が備えられている、ことが好ましい。
【００１１】
なお、前記各第一アーム部（１６）には一の第一アーム部の横方向の動きに他の第一アーム部を追従させるリンク機構が備えられている、ことも好ましい。
【発明の効果】
【００１２】
本発明の高圧引下線縁線支持具では、電柱に固定した基部から伸びる第一アーム部および第二アーム部に設けた第一把持部および第二把持部によって高圧引下線（上部）縁線を把持しこの状態で切断を行うことで、切断した高圧引下線（上部）縁線を保持したままにすることができるので、切断した高圧引下線上部縁線を各線ごとに移動する必要がなくなるとともに、短絡防止用防護具を高圧引下線中線に取り付ける必要がなくなる。また、短絡防止用防護具を高圧引下線中線に取り付ける必要がなくなるので、高圧引下線中線に短絡防止用防護具を取り付けたのちに高所作業車のバケットを高圧引下線上部縁線の切断箇所まで移動させる必要もなくなる。その結果、作業効率が向上するとともに、作業員が高圧活線へ近づく回数を最小にすることができ作業の安全性も向上する。
ここで第二把持部に第一把持部との相対距離を変更可能とするスライド機構を備えてやることで、切断した高圧引下線（上部）縁線を離隔させたり、また高圧引下線（上部）縁線の接続時には接続する２本の高圧引下線（上部）縁線を引っ張りながら近づけて保持してやることができるので作業性が向上し、また作業員の肉体的負担も軽減することができる。なお本高圧引下線縁線支持具を用いることで、従来２人の作業員が必要であった高圧引下線（上部）縁線の切断・接続作業を１人の作業員で行うことも可能となる。
【図面の簡単な説明】
【００１３】
【図１】第１の実施例の高圧引下線縁線支持具を示した図である。
【図２】図１に示した高圧引下線上部縁線支持具を用いて間接活線工法による高圧引下線上部縁線の切断（接続）作業を行う手順について説明するための図である。
【図３】第１の実施例の高圧引下線縁線支持具の変形例である。
【図４】電柱へ変形例の高圧引下線縁線支持具を取り付ける様子を示した図である。
【図５】第２の実施例の高圧引下線縁線支持具を示した分解斜視図である。
【図６】高圧配電線から電柱上のトランスなどの機器へ高圧引下線縁線を引き下げた状態を簡略化して示した図である。
【発明を実施するための形態】
【００１４】
本発明は、高圧配電線から電柱上のトランスなどの機器に引き下げた高圧引下線（上部）縁線を間接活線工法により切断・接続する作業に用いるための高圧引下線縁線支持具であり、電柱に取り付けた支持具により高圧引下線上部縁線を把持して支持してやることで、上記課題を解決するものである。
【００１５】
本発明の具体的な実施形態を説明する前に、高圧配電線から電柱上のトランスなどの機器への高圧引下線縁線の引き下げ状態についてまず説明した後に、本発明の高圧引下線縁線支持具の実施の形態について図面を参照しながら説明する。
【００１６】
図６に高圧配電線から電柱上のトランスなどの機器へ高圧引下線縁線を引き下げた状態を簡略化して示した。
高圧配電線１から分岐された高圧引下線（「高圧引下線上部縁線３ａ」という。）は、電柱２の上部で水平に伸びる上側腕金５ａの先端に設けられた上部支持碍子４ａに掛け止められ、それから上側腕金５ａの下側でこれと平行に伸びる下側腕金５ｂの先端に設けた下部支持碍子４ｂまで引き下げられて（「高圧引下線中線３ｂ」という。）これに掛け止められる。その後、高圧カットアウトを経て変圧器６に接続されている。なお高圧配電線１は一般に３線となっているため、高圧引下線３ａ，３ｂも３線が並んで引き下げられている。
【実施例１】
【００１７】
図１は、本発明に係る第１の実施例の高圧引下線縁線支持具を示した図であり、（ａ）は全体の斜視図、（ｂ）は基部の平面図である。
【００１８】
本実施例による高圧引下線縁線支持具１０は、図１に示すように、電柱２を把持することで固定される基部１２と、基部１２から伸長する主軸部１４と、主軸部１４の先端から伸びる第一アーム部１６と、第一アーム部１６の先端に屈曲自在に連結された第二アーム部１８と、高圧引下線上部縁線３ａを把持するために前記第一アーム部１６の先端に設けられた第一把持部２２および第二アーム部１８に設けられた第二把持部２４と、を有している。
そして第二把持部２４には第一把持部２２との相対距離を変更可能とするスライド機構が設けられている。
【００１９】
基部１２は幅が５ｃｍ程度の強固な平帯状の金属材料を湾曲させることで形成した２つの半円弧の半円部材１２ａ，１２ｂを、その一端で蝶番構造によりリンク接続することで、電柱２の外径より少しだけ大きな内径となるように形成した環状のバンドである。この基部１２は、蝶番構造により２つ半円部材１２ａ，１２ｂが大きく開口することができるようになっている。そしてこの蝶番構造には間接活線工具を用いた回転操作により半円部材１２ａ，１２ｂの開閉を操作するためのツイストロック挿入口が設けられている。
【００２０】
主軸部１４は、一端が基部１２の外周から径方向外側に伸張するように取り付けられ、他端が次に説明する第一アーム部１６との連結部（第一連結部３７）となる長さが１ｍほどの絶縁棒であり、その中間部位には基部１２に取り付けた際に、主軸部１４先端側を上下方向に屈折させるための関節部３９ａが設けられている。なおこの関節部３９ａによる屈折は水平方向を初期状態としてこれよりも上側（仰角）の範囲でのみ可能なものとする。
また基部１２と主軸部１４との取り付け部位には、高圧引下線縁線支持具１０を電柱２に取り付けた際に水平方向に伸張することとなる主軸部１４を補強するための補強部材１５が設けられている。  
関節部３９ａには間接活線工具先端に設けられたツイストロック部を挿入するためのツイストロック挿入口（図示せず）が形成されている。主軸部１４の屈折は、このツイストロック挿入口に間接活線工具先端のツイストロック部を挿入し、これを軸回転させることで関節部３９ａの可動・固定により任意の角度で主軸部１４の上下方向の屈折固定ができるようになっている。またツイストロック挿入口に挿入したツイストロック部により関節部３９ａを固定したあと、さらにツイストロック部を固定側に強く回転させると、屈折した主軸部１４を真っ直ぐな初期状態に戻すことができるようになっている。
第一連結部３７は基部１２を電柱２に取り付けた状態で、第一アーム部１６を左右方向に屈折させることができるようになっており、関節部３９ａと同様に間接活線工具のツイストロック部を挿入するためのツイストロック挿入口が形成されている。第一連結部３７の屈折は、このツイストロック挿入口に間接活線工具先端のツイストロック部を挿入し、これを軸回転させることでその可動・固定を行うことができるようになっている。
【００２１】
第一アーム部１６は一端が主軸部１４の第一連結部３７に連結され、他端が次に説明する第二アーム部１８および後述の第一把持部２２が取り付けられた連結部（第二連結部４１）となる長さが５０ｃｍほどの絶縁棒である。前述のようにこの第一アーム部１６は主軸部１４との第一連結部３７によって左右方向に屈折できるようになっている。また第一アーム部１６の中間部位には第一アーム部１６先端側（第一把持部２２側）を上下方向に屈折させるための関節部３９ｂが形成されている。
この第二連結部４１の根元部分には高圧引下線（上部）縁線３ａを把持して支える第一把持部２２が設けられている。この第一把持部２２はその取り付け角度が自在に変更できるようになっており、高圧引下線（上部）縁線３ａの把持・開放および取り付け角度の変更は上記のツイストロック挿入口と同じ構造により間接活線工具を用いて行われる。
【００２２】
第二アーム部１８は一端が第一アーム部１６の第二連結部４１に連結され、他端に着脱式の後述の第二把持部２４が取り付けられた連結部（第二連結部４１）となる長さが５０ｃｍほどの絶縁棒である。この第二アーム部１８は第一連結部３７と同様の構造の第二連結部４１によって間接活線工具を用いて左右方向に屈折できるようになっている。
高圧引下線（上部）縁線３ａを把持するための第二把持部２４は、第二アーム部１８の先端から間接活線工具を用いて挿入することができ、また、その任意の位置にスライドさせて固定できるようになっている（スライド機構）。さらにこの第二把持部２４は、間接活線工具を用いてその取り付け角度が自在に変更できるようになっており、高圧引下線（上部）縁線３ａの把持・開放も行うことができるようになっている。第二アーム部１８による高圧引下線（上部）縁線３ａの把持・開放および取り付け角度の変更、スライド・固定は間接活線工具によるツイストロックによって行われる。
【００２３】
次にこの高圧引下線縁線支持具１０を用いた高圧引下線縁線を間接活線工法により切断・接続する作業手順について説明する。図２は高圧引下線縁線支持具１０を用いて高圧引下線上部縁線３ａを切断・接続する作業手順を示した図である。
まず作業員は高所作業車のバケットに乗り込みこれを操作して、上側腕金５ａの下側位置まで移動し、間接活線工具を用いた作業により基部１２に電柱２を把持させることで高圧引下線縁線支持具１０を電柱に取り付けてやる。
【００２４】
高圧引下線上部縁線３ａを切断する場合には、図２に示したように間接活線工具を用いて高圧引下線縁線支持具１０の第一把持部２２および第二把持部２４で高圧引下線上部縁線３ａを下側から把持してやる。把持に際しては間接活線工具を用いて、高圧引下線縁線支持具１０の主軸部１４や第一アーム部１６の関節部３９ａ，３９ｂ、第一連結部３７、第二連結部４１を必要に応じて適宜屈折させ、また、第一把持部２２および第二把持部２４の取り付け角度を変更してやることで、第一把持部２２および第二把持部２４を高圧引下線上部縁線３ａを把持しやすい位置に移動させてやる。
高圧引下線上部縁線３ａを切断した後には、絶縁防護具を取り付けた充電側（高圧架線側）の高圧引下線上部縁線３ａを把持する第二把持部２４を間接活線工具を用いて第二アーム部１８から引き抜きこれを高圧配電線１に仮止めしてやる。一方、停電側（変圧器６側）の高圧引下線上部縁線３ａは第一把持部２２に把持された状態で、間接活線工具を用いて主に関節部３９ａ（補助的に第一連結部３７や第一把持部２２）を屈折させることで切断した高圧引下線上部縁線３ａを下方位置まで引き下げてやる。これにより高圧活線との離隔距離を確保した上での安全な作業が可能となる。
それから変圧器６の交換作業等所定の作業を行った後に、切断した高圧引下線上部縁線３ａを接続する。高圧引下線上部縁線の接続は上記と逆の手順によって行われる。
【００２５】
このように本実施例の高圧引下線縁線支持具１０によれば、高圧引下線上部縁線３ａを把持して保持した状態で切断・接続を行えるため、短絡防止用防護具を高圧引下線中線３ｂに取り付ける必要がなくなる。また高所作業車のバケットの移動回数も少なくなるため作業効率を向上させることができる。さらに高圧引下線上部縁線３ａの切断・接続作業を１人の作業員で行うことも可能となる。
【００２６】
図３に本実施例の高圧引下線縁線支持具１０の一部変形例を示した。なお変形例において前記の高圧引下線縁線支持具と同様の構成については同一の符号を付すことで重複した説明を省略する。
この変形例の高圧引下線縁線支持具１０では、上記の高圧引下線縁線支持具とはその電柱への取り付け構造のみが異なったものとなっている。すなわち基部１２がそれ以外の部分とが分離されており、まず電柱に取り付けた基部１２に主軸部１４等をあとから取り付けてやるようになっている。
【００２７】
具体的には図３に示したように、基部１２は、半円弧の半円部材１２ａ，１２ｂを、その一端で蝶番構造によりリンク接続することで、電柱２の外径より少しだけ大きな内径となるように形成した環状のバンドであり、蝶番構造により２つ半円部材１２ａ，１２ｂが大きく開口することができるようになっている。そして２つの半円部材１２ａ，１２ｂの末端に形成した掛止部３１をボルトナットにより締結することで閉口した環状のバンドが形成される。
ここで一方の半円部材１２ａ，１２ｂには、次に説明する主軸部１４を取り付けるために、その一部が拡径して凸状となった凸部３３が形成されており、また各半円部材１２ａ，１２ｂの内周面には凸部３３および端部を除いた箇所に滑り止めのためのゴムであるラバー材７が貼り付けられている。そのため電柱２を把持するように取り付けて掛止部３１を締結することで、基部１２をずれ落ちることなく電柱２に取り付けることができる。
【００２８】
主軸部１４は、一端が基部１２に取り付けるための取付部３５、他端が第一アーム部１６との連結部（第一連結部３７）となる長さが１ｍほどの絶縁棒であり、その中間部位には基部１２に取り付けた際に、主軸部１４先端側を上下方向に屈折させるための関節部３９ａが設けられている。
取付部３５は主軸部１４の一端に直角に屈折して設けられた金属板であり、その厚みが先端側が薄く後端側が厚くなった楔形断面を有している。この取付部３５は、基部１２に形成した凸部３３に上方から差し込まれることで楔が打ち込まれるようになるため、基部１２が強固に電柱２に固定され、また主軸部１４が水平方向に伸張するように基部１２に取り付けられる。なお主軸部１４の取付部３５以外は絶縁性の部材でできている。
【００２９】
図４は電柱２へ高圧引下線縁線支持具１０を取り付ける様子を示した図である。
作業員は高所作業車のバケットに乗り込みこれを操作して、上側腕金５ａの下側位置まで移動し、直接基部１２を手に持って上側腕金５ａの下側の電柱２に巻き付けるようにしてから掛止部３１をボルトナットを用いて掛け止めることで、基部１２を電柱２に取り付けてやる。このとき基部１２は電柱２に軽く巻き付けられて固定されるだけであるため、その取り付けは手作業により容易に行うことができる。
次に電柱２に取り付けた基部１２の凸部３３に主軸部１４の先端側で直角に屈折する取付部３５を上側から挿し入れてからハンマーで叩いて押し込んでやる。ここで取付部３５はその厚みが先端側が薄く後端側が厚くなった楔形断面をしているため、取付部３５が打ち込まれることで基部１２が強固に電柱２に固定され、主軸部１４を水平方向に伸張するように基部１２に取り付けてやることができ、高圧引下線縁線支持具１０が電柱２にしっかりと固定される。
【００３０】
このようにして電柱２に取り付けた高圧引下線縁線支持具１０は前述の高圧引下線縁線支持具と同様に使用され、高圧引下線上部縁線３ａの切断・接続作業の効率化等が図られる。
【実施例２】
【００３１】
図５は、本発明に係る第２の実施例の高圧引下線縁線支持具１０を示した図である。なお実施例１と同様の構成については同じ符号を付することで重複した説明は省略する。
【００３２】
本実施例の高圧引下線縁線支持具１０は、上記実施例１の支持具が１本の高圧引下線上部縁線３ａを保持するものであるのに対し、複数本（３本）の高圧引下線上部縁線３ａを同時に保持することで、作業効率の向上等を図るものである。
【００３３】
実施例２の高圧引下線縁線支持具１０では、主軸部１４先端の第一連結部３７から３本のアーム部（第一アーム部１６や第二アーム部１８など）が水平方向にくし型に並んで伸張するように取り付けられている。すなわち３本のアーム部のうち真ん中のアーム部は上記実施例１と同様の構成をしており、左右の２本のアーム部は３本のアーム部が８０ｃｍ程度の間隔で等間隔に平行するように、第一連結部３７を貫通して取り付けられた１本の分岐アーム部４３の両端に設けた第一連結部３７と同様の構造の第三連結部４７に連結されている。この左右の２本のアーム部（第一アーム部１６や第二アーム部１８、関節部３９ｂ、第二連結部４１、第一把持部２２、第二把持部２４など）は真ん中のアーム部と同様の構成となっている。
【００３４】
ここで３本の第一アーム部１６には一の第一アーム部１６の横方向の動きに他の第一アーム部１６を追従させるリンク機構が備えられている。リンク機構は図４のように分岐アーム部に平行して３本の第一アーム部１６にリンク接続したリンクアーム部４５である。このリンク機構により各アーム部が近接しすぎることなく一定の間隔を保つため、短絡などの事故を有効に防止することができる。
【００３５】
本実施例の高圧引下線縁線支持具１０を用い、高圧引下線上部縁線３ａを間接活線工法により切断・接続する作業手順は上記実施例１とほぼ同様であるが、３本のアーム部により３本の高圧引下線上部縁線３ａを同時に保持したり、主軸部１４の関節部３９ａの可動操作により３本のアーム部を同時に上下動させることができるため、高所作業車のバケットの移動回数を少なくして作業性をより向上させることができる。
【符号の説明】
【００３６】
１  高圧配電線
２  電柱
３ａ  高圧引下線上部縁線
３ｂ  高圧引下線中線
４ａ  上部支持碍子
４ｂ  下部支持碍子
５ａ  上側腕金
５ｂ  下側腕金
６  変圧器
７  ラバー材
１０  高圧引下線縁線支持具
１２  基部
１２ａ，１２ｂ  半円部材
１４  主軸部
１５  補強部材
１６  第一アーム部
１８  第二アーム部
２２  第一把持部
２４  第二把持部
３１  掛止部
３３  凸部
３５  取付部
３７  第一連結部
３９ａ，３９ｂ  関節部
４１  第二連結部
４３  分岐アーム部
４５  リンクアーム部
４７  第三連結部
【図１】
2014007902.tif 000003
【図２】
2014007902.tif 000004
【図３】
2014007902.tif 000005
【図４】
2014007902.tif 000006
【図５】
2014007902.tif 000007
【図６】
2014007902.tif 000008